【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
記録密度の異なる複数種類の光記録媒体に対して記録，再生，消去のうち１以上行う光ピックアップにおいて、
前記光記録媒体の記録密度が大きい順に第１，第２，第３，第４の光記録媒体として、前記第１，第２の光記録媒体に対応した第１の波長λ１を有する第１の光束を出射する第１の光源と、前記第３の光記録媒体に対応した第２の波長λ２を有する第２の光束を出射する第２の光源と、前記第４の光記録媒体に対応した第３の波長λ３を有する第３の光束を出射する第３の光源と、前記第１〜第３の光束を前記第１〜第４の光記録媒体の各記録面に集光させる単一の対物レンズと、前記対物レンズと前記第１〜第３の光源の間に設けた収差補正手段とを備え、
前記光源の第１，第２，第３の波長はλ１＜λ２＜λ３の関係であり、前記収差補正手段に、断面形状が同心円状の凹凸形状となる回折構造を有する第１の回折面と第２の回折面とを設け、
前記第１の回折面は、光束が通過する光線有効径内で、複数の同心円状の領域に分割して、前記分割した領域のうち、中心側から順に２つの領域でそれぞれ凹凸形状の溝深さが異なる回折構造を形成し、
前記第２の回折面は、光束が通過する光線有効径内で、少なくとも２つ以上の同心円状の領域に分割したことを特徴とする光ピックアップ。
【請求項２】
請求項１記載の光ピックアップであって、
前記第１の回折面において分割した領域のうち、中心領域に形成した回折構造において、第１，第２，第３の光束で最も強く発生する回折光の次数を、それぞれＮ１１，Ｎ１２，Ｎ１３とするとき、次の条件
｜Ｎ１１｜＜｜Ｎ１２｜＜｜Ｎ１３｜
が成り立つことを特徴とする光ピックアップ。
【請求項３】
請求項１または２記載の光ピックアップであって、
前記第１の回折面において分割した領域のうち、中心から２番目の領域に形成した回折構造において、第１，第２の光束で最も強く発生する回折光の次数を、それぞれＮ２１，Ｎ２２とするとき、次の条件
｜Ｎ２１｜＜｜Ｎ２２｜
が成り立つことを特徴とする光ピックアップ。
【請求項４】
請求項１〜３のいずれか１項に記載の光ピックアップであって、
前記回折光の次数Ｎ１１，Ｎ１２，Ｎ１３と次数Ｎ２１，Ｎ２２とは次数の符号が逆であることを特徴とする光ピックアップ。
【請求項５】
請求項４記載の光ピックアップであって、
前記回折光の次数Ｎ１１，Ｎ１２，Ｎ１３が、「Ｎ１１＝０，Ｎ１２＝−１，Ｎ１３＝−２」であることを特徴とする光ピックアップ。
【請求項６】
請求項４記載の光ピックアップであって、
前記回折光の次数Ｎ２１，Ｎ２２が、「Ｎ２１＝０，Ｎ２２＝＋１」であることを特徴とする光ピックアップ。
【請求項７】
請求項３記載の光ピックアップであって、
前記回折光の次数Ｎ２１，Ｎ２２が、「Ｎ２１＝０，Ｎ２２＝−１」であることを特徴とする光ピックアップ。
【請求項８】
請求項１〜４のいずれか１項に記載の光ピックアップであって、
前記第１の回折面において分割した領域のうち、中心領域および中心から２番目の領域に形成した回折構造は、階段形状を繰り返して形成し、前記各階段形状の傾斜方向が、前記中心領域と前記中心から２番目の領域で逆になることを特徴とする光ピックアップ。
【請求項９】
請求項１〜４のいずれか１項に記載の光ピックアップであって、
前記第１の回折面において分割した領域のうち、中心領域に形成した回折構造は、階段形状を繰り返して形成し、前記各階段形状が、光軸中心から外側に向かって、光軸方向の溝深さが低くなるように形成したことを特徴とする光ピックアップ。
【請求項１０】
請求項１〜４のいずれか１項に記載の光ピックアップであって、
前記第１の回折面において分割した領域のうち、中心から２番目の領域に形成した回折構造は、階段形状を繰り返して形成し、前記各階段形状が、光軸中心から外側に向かって、光軸方向の溝深さが高くなるように形成したことを特徴とする光ピックアップ。
【請求項１１】
請求項５または９記載の光ピックアップであって、
前記第１の回折面において分割した領域のうち、中心領域に形成した回折構造は、階段形状であり一段当たりの高さが、
「第１の波長に対しては、Ｎ１・Ｍ・λ１の位相差、
第２の波長に対しては、（Ｎ２＋（Ｍ−１）／Ｍ）λ２の位相差、
第３の波長に対しては、（Ｎ３＋（Ｍ−２）／Ｍ）λ３の位相差、
ただし、Ｍは階段形状の段数、Ｎ１，Ｎ２，Ｎ３は０以上の整数」
を付与する寸法に設定したことを特徴とする光ピックアップ。
【請求項１２】
請求項１１記載の光ピックアップであって、
前記階段形状の段数Ｍを「４」としたことを特徴とする光ピックアップ。
【請求項１３】
請求項６または１０記載の光ピックアップであって、
前記第１の回折面において分割した領域のうち、中心から２番目の領域に形成した回折構造は、階段形状であり一段当たりの高さが、
「第１の波長に対しては、Ｎ１・Ｍ・λ１の位相差、
第２の波長に対しては、（Ｎ２＋１／Ｍ）λ２の位相差、
第３の波長に対しては、（Ｎ３・Ｍ）λ３の位相差、
ただし、Ｍは階段形状の段数、Ｎ１，Ｎ２，Ｎ３は０以上の整数」
を付与する寸法に設定したことを特徴とする光ピックアップ。
【請求項１４】
請求項１３記載の光ピックアップであって、
前記階段形状の段数Ｍを「５」としたことを特徴とする光ピックアップ。
【請求項１５】
請求項７記載の光ピックアップであって、
前記第１の回折面において分割した領域のうち、中心から２番目の領域に形成した回折構造は、階段形状であり一段当たりの高さが、
「第１の波長に対しては、Ｎ１・Ｍ・λ１の位相差、
第２の波長に対しては、（Ｎ２＋（Ｍ−１）／Ｍ）λ２の位相差、
第３の波長に対しては、（Ｎ３＋（Ｍ−１）／Ｍ）λ３の位相差、
ただし、Ｍは階段形状の段数、Ｎ１，Ｎ２，Ｎ３は０以上の整数」
を付与する寸法に設定したことを特徴とする光ピックアップ。
【請求項１６】
請求項１５記載の光ピックアップであって、
前記階段形状の段数Ｍを「３」としたことを特徴とする光ピックアップ。
【請求項１７】
請求項１〜１６のいずれか１項に記載の光ピックアップであって、
前記第１の回折面において分割した領域のうち、中心から２番目の領域に形成した回折構造は、階段形状であり溝深さが、中心領域より低いことを特徴とする光ピックアップ。
【請求項１８】
請求項１記載の光ピックアップであって、
前記第１の回折面において分割した領域のうち、中心から３番目の領域を平坦部としたことを特徴とする光ピックアップ。
【請求項１９】
請求項１記載の光ピックアップであって、
前記第１の回折面において分割した領域のうち、中心から３番目の領域に光軸方向の厚さが異なる段差を形成したことを特徴とする光ピックアップ。
【請求項２０】
請求項１記載の光ピックアップであって、
前記第１の回折面において分割した領域のうち、中心領域の領域に形成した回折構造のピッチが、単一の対物レンズを用いて、第２の光束が第３の光記録媒体の基板を透過する際に生じる球面収差と、第３の光束が第４の光記録媒体の基板を透過する際に生じる球面収差とを打ち消すように、前記回折構造に形成したことを特徴とする光ピックアップ。
【請求項２１】
請求項１または２０記載の光ピックアップであって、
前記第１の回折面において分割した領域のうち、中心から２番目の領域に形成した回折構造のピッチが、単一の対物レンズを用いて、第２の光束が第３の光記録媒体の基板を透過する際に生じる球面収差を、前記対物レンズと前記記録面の距離が請求項２０と同距離で打ち消すように、前記回折構造に形成したことを特徴とする光ピックアップ。
【請求項２２】
請求項１記載の光ピックアップであって、
前記第２の回折面において分割した領域のうち、中心領域に回折構造を形成したことを特徴とする光ピックアップ。
【請求項２３】
請求項１または２２記載の光ピックアップであって、
前記第２の回折面において分割した領域のうち、中心領域に形成した回折構造のピッチが、第１の光束が第２の光記録媒体の基板を透過する際に生じる球面収差を打ち消すように、前記回折構造に形成したことを特徴とする光ピックアップ。
【請求項２４】
請求項１，２２または２３記載の光ピックアップであって、
前記第２の回折面において分割した領域のうち、中心領域に形成した回折構造において、回折した第１の光束は異なる次数の回折光であり、それぞれ第１，第２の光記録媒体に集光することを特徴とする光ピックアップ。
【請求項２５】
請求項１，２２〜２４のいずれか１項に記載の光ピックアップであって、
前記第２の回折面において分割した領域のうち、中心領域に形成した回折構造において、第１の光束を回折した回折光の次数が、０次と＋１次であることを特徴とする光ピックアップ。
【請求項２６】
請求項１，２２〜２５のいずれか１項に記載の光ピックアップであって、
前記第２の回折面において分割した領域のうち、中心領域に形成した回折構造において、回折した第２の光束で最も強く発生する回折光の次数が０次であり、第３の光束で最も強く発生する回折光の次数が０次であることを特徴とする光ピックアップ。
【請求項２７】
請求項１，２２〜２６のいずれか１項に記載の光ピックアップであって、
前記第２の回折面の中心領域に形成した回折構造は、階段形状であり一段当たりの高さが、
「第１の波長に対しては、Ｎ１・Ｍ・λ１と（Ｎ１＋１／Ｍ）λ１の間の位相差、
第２の波長に対しては、（Ｎ２＋（Ｍ−２）／Ｍ）λ２の位相差、
第３の波長に対しては、（Ｎ３＋（Ｍ−１）／Ｍ）λ３の位相差、
ただし、Ｍは階段形状の段数、Ｎ１，Ｎ２，Ｎ３は０以上の整数」
を付与する寸法に設定したことを特徴とする光ピックアップ。
【請求項２８】
請求項１〜２７のいずれか１項に記載の光ピックアップであって、
対物レンズは、最も記録密度の大きい第１の光記録媒体に対して、波長λ１の光束により収差が最小になるように設計したことを特徴とする光ピックアップ。
【請求項２９】
請求項１〜２８のいずれか１項に記載の光ピックアップであって、
前記第１の回折面と前記第２の回折面を収差補正手段の両面に形成したことを特徴とする光ピックアップ。
【請求項３０】
請求項１〜２８のいずれか１項に記載の光ピックアップであって、
前記第１の回折面と前記第２の回折面の少なくともどちらか一方の回折構造を対物レンズの面上に形成したことを特徴とする光ピックアップ。
【請求項３１】
請求項１〜２８のいずれか１項に記載の光ピックアップであって、
前記第１の回折面と前記第２の回折面の回折構造をそれぞれ異なる材料により形成したことを特徴とする光ピックアップ。
【請求項３２】
請求項１〜３１のいずれか１項に記載の光ピックアップであって、
前記第１の回折面と前記第２の回折面の回折構造を樹脂材料により構成したことを特徴とする光ピックアップ。
【請求項３３】
請求項１〜３２のいずれか１項に記載の光ピックアップであって、
前記第１の回折面と前記第２の回折面を有する光学素子の外形形状を回折面と同心円の円形状としたことを特徴とする光ピックアップ。
【請求項３４】
請求項１〜３３のいずれか１項に記載の光ピックアップであって、
前記第２の光束が収差補正手段を介して回折されて対物レンズに入射する球面収差を有した発散光であり、前記第２の光束の前記光ピックアップ光学系全体における球面収差は、前記発散光が持つ球面収差と、前記対物レンズおよび第３の光記録媒体の基板を透過する際に生じる球面収差とによって補正され、
前記対物レンズの光軸と前記収差補正手段の光軸とが横ズレした際、前記発散光の持つ球面収差の前記横ズレに起因するコマ収差成分と、前記対物レンズおよび前記第３の光記録媒体で発生する球面収差の前記横ズレに起因するコマ収差成分が、互いに打ち消す方向とすることで前記第２の光束の前記光ピックアップ光学系全体のコマ収差を補正する回折構造を前記第１の回折面に形成したことを特徴とする光ピックアップ。
【請求項３５】
請求項１〜３３のいずれか１項に記載の光ピックアップであって、
前記第３の光束が収差補正手段を介して回折されて対物レンズに入射する球面収差を有した発散光であり、前記第３の光束の前記光ピックアップ光学系全体における球面収差は、前記発散光が持つ球面収差と、前記対物レンズおよび第４の光記録媒体の基板を透過する際に生じる球面収差とによって補正され、
前記対物レンズの光軸と前記収差補正手段の光軸とが横ズレした際、前記発散光の持つ球面収差の前記横ズレに起因するコマ収差成分と、前記対物レンズおよび前記第４の光記録媒体で発生する球面収差の前記横ズレに起因するコマ収差成分が、互いに打ち消す方向とすることで前記第３の光束の前記光ピックアップ光学系全体のコマ収差を補正する回折構造を前記第１の回折面に形成したことを特徴とする光ピックアップ。
【請求項３６】
請求項１〜３３のいずれか１項に記載の光ピックアップであって、
前記第２の光束が収差補正手段を介して回折されて対物レンズに入射する第１の球面収差を有した発散光であり、前記第２の光束の前記光ピックアップ光学系全体における球面収差は、前記発散光が持つ第１の球面収差と、前記対物レンズおよび第３の光記録媒体の基板を透過する際に生じる球面収差とによって補正され、
前記第３の光束が前記収差補正手段を介して回折されて前記対物レンズに入射する第２の球面収差を有した発散光であり、前記第３の光束の前記光ピックアップ光学系全体の球面収差は、前記発散光が持つ第２の球面収差と、前記対物レンズおよび第４の光記録媒体の基板を透過する際に生じる球面収差とによって補正され、
前記対物レンズの光軸と前記収差補正手段の光軸とが横ズレした際、前記発散光の持つ第１の球面収差の横ズレに起因するコマ収差成分と、前記対物レンズおよび前記第３の光記録媒体で発生するコマ収差成分が、互いに打ち消す方向とし、かつ、前記発散光の持つ第２の球面収差の横ズレに起因するコマ収差成分と、前記対物レンズおよび前記第４の光記録媒体で発生するコマ収差成分が、互いに打ち消す方向とすることで、前記第２の光束と前記第３の光束の前記光ピックアップ光学系全体のコマ収差を同時に補正する回折構造を前記第１の回折面に形成したことを特徴とする光ピックアップ。
【請求項３７】
請求項１〜３６のいずれか１項に記載の光ピックアップであって、
前記第１の光束が収差補正手段を介して回折されて対物レンズに入射する球面収差を有した発散光であり、前記第１の光束の前記光ピックアップ光学系全体における球面収差は、前記発散光が持つ球面収差と、前記対物レンズおよび第２の光記録媒体の基板を透過する際に生じる球面収差とによって補正され、
前記対物レンズの光軸と前記収差補正手段の光軸とが横ズレした際、前記発散光の持つ球面収差の横ズレに起因するコマ収差成分と、前記対物レンズおよび前記第２の光記録媒体で発生するコマ収差成分が、互いに打ち消す方向とすることで、前記第１の光束の前記光ピックアップ光学系全体のコマ収差を補正する回折構造を前記第２の回折面に形成したことを特徴とする光ピックアップ。
【請求項３８】
請求項１〜３７のいずれか１項に記載の光ピックアップであって、
前記第２の光束が収差補正手段の第１の回折面を介して回折されて対物レンズに入射する球面収差を有した発散光であり、前記第２の光束の前記光ピックアップ光学系全体における球面収差は、前記発散光が持つ球面収差と、前記対物レンズおよび第３の光記録媒体の基板を透過する際に生じる球面収差とによって補正され、
前記第２の光束が前記収差補正手段の第１の回折面を介して回折されて前記対物レンズに入射する球面収差を有していない発散光であって、前記球面収差を有していない発散光が前記第２の光束の前記光ピックアップ光学系全体における球面収差を補正する際の前記収差補正手段の第１の回折面に有する回折構造の輪帯数をＮｍ２，最小ピッチをＰｍ２としたとき、
前記球面収差を有した発散光を回折させる前記収差補正手段の第１の回折面での輪帯数Ｎａ１と最小ピッチＰａ１が、次の条件
Ｎａ１≧Ｎｍ２，Ｐａ１≦Ｐｍ２
を満足する回折構造を有したことを特徴とする光ピックアップ。
【請求項３９】
請求項１〜３７のいずれか１項に記載の光ピックアップであって、
前記第３の光束が収差補正手段の第１の回折面を介して回折されて対物レンズに入射する球面収差を有した発散光であり、前記第３の光束の前記光ピックアップ光学系全体における球面収差は、前記発散光が持つ球面収差と、前記対物レンズおよび第４の光記録媒体の基板を透過する際に生じる球面収差とによって補正され、
前記第３の光束が前記収差補正手段の第１の回折面を介して回折されて前記対物レンズに入射する球面収差を有していない発散光であって、前記球面収差を有していない発散光が前記第３の光束の前記光ピックアップ光学系全体における球面収差を補正する際の前記収差補正手段の第１の回折面に有する回折構造の輪帯数をＮｍ３，最小ピッチをＰｍ３としたとき、
前記球面収差を有した発散光を回折させる前記収差補正手段の第１の回折面での輪帯数Ｎａ１と最小ピッチＰａ１が、次の条件
Ｎａ１≧Ｎｍ３，Ｐａ１≦Ｐｍ３
を満足する回折構造を有したことを特徴とする光ピックアップ。
【請求項４０】
請求項１〜３７のいずれか１項に記載の光ピックアップであって、
前記第２の光束が収差補正手段の第１の回折面を介して回折されて対物レンズに入射する球面収差を有した発散光であり、前記第２の光束の前記光ピックアップ光学系全体における球面収差は、前記発散光が持つ球面収差と、前記対物レンズおよび第３の光記録媒体の基板を透過する際に生じる球面収差とによって補正され、
前記第２の光束が前記収差補正手段の第１の回折面を介して回折されて前記対物レンズに入射する球面収差を有していない発散光であって、前記球面収差を有していない発散光が前記第２の光束の前記光ピックアップ光学系全体における球面収差を補正する際の前記収差補正手段の第１の回折面に有する回折構造の輪帯数をＮｍ２，最小ピッチをＰｍ２とし、
前記第３の光束が前記収差補正手段の第１の回折面を介して回折されて前記対物レンズに入射する球面収差を有した発散光であり、前記第３の光束の前記光ピックアップ光学系全体における球面収差は、前記発散光が持つ球面収差と、前記対物レンズおよび第４の光記録媒体の基板を透過する際に生じる球面収差とによって補正され、
前記第３の光束が前記収差補正手段の第１の回折面を介して回折されて前記対物レンズに入射する球面収差を有していない発散光であって、前記球面収差を有していない発散光が前記第３の光束の前記光ピックアップ光学系全体における球面収差を補正する際の前記収差補正手段の第１の回折面に有する回折構造の輪帯数をＮｍ３，最小ピッチをＰｍ３としたとき、
前記球面収差を有した発散光を回折させる前記収差補正手段の第１の回折面での輪帯数Ｎａ１と最小ピッチＰａ１が、次の条件
Ｎａ１≧Ｎｍ３，Ｐａ１≦Ｐｍ３
を満足する回折構造を有したことを特徴とする光ピックアップ。
【請求項４１】
請求項１〜４０のいずれか１項に記載の光ピックアップであって、
前記第１の光束が収差補正手段の第２の回折面を介して回折されて対物レンズに入射する球面収差を有した発散光であり、前記第１の光束の前記光ピックアップ光学系全体における球面収差は、前記発散光が持つ球面収差と、前記対物レンズおよび第２の光記録媒体の基板を透過する際に生じる球面収差とによって補正され、
前記第１の光束が前記収差補正手段の第２の回折面を介して回折されて前記対物レンズに入射する球面収差を有していない発散光であって、前記球面収差を有していない発散光が前記第１の光束の前記光ピックアップ光学系全体における球面収差を補正する際の前記収差補正手段の第２の回折面に有する回折構造の輪帯数をＮｍ１，最小ピッチをＰｍ１としたとき、
前記球面収差を有した発散光を回折させる前記収差補正手段の第２の回折面での輪帯数Ｎａ２と最小ピッチＰａ２が、次の条件
Ｎａ２≧Ｎｍ１，Ｐａ２≦Ｐｍ１
を満足する回折構造を有したことを特徴とする光ピックアップ。
【請求項４２】
記録密度の異なる複数種類の光記録媒体に対して記録，再生，消去のうち１以上行う光情報処理装置であって、
請求項１〜４１のいずれか１項に記載の光ピックアップを備えたことを特徴とする光情報処理装置。
【手続補正２】
【補正対象書類名】明細書
【補正対象項目名】００１４
【補正方法】変更
【補正の内容】
【００１４】
前記の目的を達成するために、本発明に係る請求項１に記載した光ピックアップは、記録密度の異なる複数種類の光記録媒体に対して記録，再生，消去のうち１以上行う光ピックアップにおいて、光記録媒体の記録密度が大きい順に第１，第２，第３，第４の光記録媒体として、第１，第２の光記録媒体に対応した第１の波長λ１を有する第１の光束を出射する第１の光源と、第３の光記録媒体に対応した第２の波長λ２を有する第２の光束を出射する第２の光源と、第４の光記録媒体に対応した第３の波長λ３を有する第３の光束を出射する第３の光源と、第１〜第３の光束を第１〜第４の光記録媒体の各記録面に集光させる単一の対物レンズと、対物レンズと第１〜第３の光源の間に設けた収差補正手段とを備え、光源の第１，第２，第３の波長はλ１＜λ２＜λ３の関係であり、収差補正手段に、断面形状が同心円状の凹凸形状となる回折構造を有する第１の回折面と第２の回折面とを設け、第１の回折面は、光束が通過する光線有効径内で、複数の同心円状の領域に分割して、分割した領域のうち、中心側から順に２つの領域でそれぞれ凹凸形状の溝深さが異なる回折構造を形成し、第２の回折面は、光束が通過する光線有効径内で、少なくとも２つ以上の同心円状の領域に分割したことによって、４種類の光記録媒体に対して、回折面２面で、発生する収差を補正することができ、単一の光学素子で収差補正が可能となり、また回折面数が少ないため、効率低下を抑制でき、かつ開口を切り替えることができるため、収差補正と開口制限を単一の光学素子で構成でき、また、３種類の光記録媒体に対して、回折面一面で、収差を補正し開口を切り替えができ、かつ効率低下を抑制でき、さらに、開口の切り替えを収差補正手段と共用できる。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
また、請求項２に記載した光ピックアップは、請求項１記載の光ピックアップであって、第１の回折面において分割した領域のうち、中心領域に形成した回折構造において、第１，第２，第３の光束で最も強く発生する回折光の次数を、それぞれＮ１１，Ｎ１２，Ｎ１３とするとき、次の条件「｜Ｎ１１｜＜｜Ｎ１２｜＜｜Ｎ１３｜」が成り立つことによって、３種類の光記録媒体に対して回折面一面で、収差を良好に補正することができる。
【手続補正９】
【補正対象書類名】明細書
【補正対象項目名】００２１
【補正方法】変更
【補正の内容】
【００２１】
また、請求項３に記載した光ピックアップは、請求項１または２記載の光ピックアップであって、第１の回折面において分割した領域のうち、中心から２番目の領域に形成した回折構造において、第１，第２の光束で最も強く発生する回折光の次数を、それぞれＮ２１，Ｎ２２とするとき、次の条件「｜Ｎ２１｜＜｜Ｎ２２｜」が成り立つことによって、３種類の光記録媒体に対して回折面一面で、収差を良好に補正することができる。
【手続補正１０】
【補正対象書類名】明細書
【補正対象項目名】００２２
【補正方法】変更
【補正の内容】
【００２２】
また、請求項４に記載した光ピックアップは、請求項１〜３のいずれか１項に記載の光ピックアップであって、回折光の次数Ｎ１１，Ｎ１２，Ｎ１３と次数Ｎ２１，Ｎ２２とは次数の符号が逆であることによって、溝深さが低く段数を多くできる回折構造が形成でき、また３種類の光記録媒体に対して、別素子を設けることなく、効率的に開口を切り替えることができる。
【手続補正１１】
【補正対象書類名】明細書
【補正対象項目名】００２３
【補正方法】変更
【補正の内容】
【００２３】
また、請求項５に記載した光ピックアップは、請求項４記載の光ピックアップであって、回折光の次数Ｎ１１，Ｎ１２，Ｎ１３が、「Ｎ１１＝０，Ｎ１２＝−１，Ｎ１３＝−２」であることによって、３種類の光記録媒体に対して、回折面一面で、収差を良好に補正することができ、また溝深さが低く段数を多くできる回折構造を形成できる。
【手続補正１２】
【補正対象書類名】明細書
【補正対象項目名】００２４
【補正方法】変更
【補正の内容】
【００２４】
また、請求項６に記載した光ピックアップは、請求項４記載の光ピックアップであって、回折光の次数Ｎ２１，Ｎ２２が、「Ｎ２１＝０，Ｎ２２＝＋１」であることによって、３種類の光記録媒体に対して、回折面一面で、収差を良好に補正し、開口を切り替えることができ、また溝深さが低く段数を多くできる回折構造を形成できる。
【手続補正１３】
【補正対象書類名】明細書
【補正対象項目名】００２５
【補正方法】変更
【補正の内容】
【００２５】
また、請求項７に記載した光ピックアップは、請求項３記載の光ピックアップであって、回折光の次数Ｎ２１，Ｎ２２が、「Ｎ２１＝０，Ｎ２２＝−１」であることによって、３種類の光記録媒体に対して、回折面一面で、収差を良好に補正し、開口を切り替えることができる。
【手続補正１４】
【補正対象書類名】明細書
【補正対象項目名】００２６
【補正方法】変更
【補正の内容】
【００２６】
また、請求項８に記載した光ピックアップは、請求項１〜４のいずれか１項に記載の光ピックアップであって、第１の回折面において分割した領域のうち、中心領域および中心から２番目の領域に形成した回折構造は、階段形状を繰り返して形成し、各階段形状の傾斜方向が、中心領域と中心から２番目の領域で逆になることによって、溝深さが低く段数を多くできる回折構造を形成でき、また３種類の光記録媒体に対して、別素子を設けることなく、効率的に開口を切り替えることができる。
【手続補正１５】
【補正対象書類名】明細書
【補正対象項目名】００２７
【補正方法】変更
【補正の内容】
【００２７】
また、請求項９に記載した光ピックアップは、請求項１〜４のいずれか１項に記載の光ピックアップであって、第１の回折面において分割した領域のうち、中心領域に形成した回折構造は、階段形状を繰り返して形成し、各階段形状が、光軸中心から外側に向かって、光軸方向の溝深さが低くなるように形成したことによって、３種類の光記録媒体に対して、回折面一面で、収差を良好に補正することができ、また溝深さが低く段数を多くできる回折構造を形成できる。
【手続補正１６】
【補正対象書類名】明細書
【補正対象項目名】００２８
【補正方法】変更
【補正の内容】
【００２８】
また、請求項１０に記載した光ピックアップは、請求項１〜４のいずれか１項に記載の光ピックアップであって、第１の回折面において分割した領域のうち、中心から２番目の領域に形成した回折構造は、階段形状を繰り返して形成し、各階段形状が、光軸中心から外側に向かって、光軸方向の溝深さが高くなるように形成したことによって、３種類の光記録媒体に対して、回折面一面で、収差を良好に補正し、開口を切り替えることができ、また溝深さが低く段数を多くできる回折構造を形成できる。
【手続補正１７】
【補正対象書類名】明細書
【補正対象項目名】００２９
【補正方法】変更
【補正の内容】
【００２９】
また、請求項１１，１２に記載した光ピックアップは、請求項５，９記載の光ピックアップであって、第１の回折面において分割した領域のうち、中心領域に形成した回折構造は、階段形状であり一段当たりの高さが、「第１の波長に対しては、Ｎ１・Ｍ・λ１の位相差、第２の波長に対しては、（Ｎ２＋（Ｍ−２）／Ｍ）λ２の位相差、第３の波長に対しては、（Ｎ３＋（Ｍ−１）／Ｍ）λ３の位相差、ただし、Ｍは階段形状の段数、Ｎ１，Ｎ２，Ｎ３は０以上の整数」を付与する寸法に設定したこと、また階段形状の段数Ｍを「４」としたことによって、３種類の光記録媒体に対して、回折面一面で、収差を良好に補正することができ、また溝深さが低く段数を多くできる回折構造を形成できる。
【手続補正１８】
【補正対象書類名】明細書
【補正対象項目名】００３０
【補正方法】変更
【補正の内容】
【００３０】
また、請求項１３，１４に記載した光ピックアップは、請求項６，１０記載の光ピックアップにおいて、第１の回折面において分割した領域のうち、中心から２番目の領域に形成した回折構造は、階段形状であり一段当たりの高さが、「第１の波長に対しては、Ｎ１・Ｍ・λ１の位相差、第２の波長に対しては、（Ｎ２＋１／Ｍ）λ２の位相差、第３の波長に対しては、（Ｎ３・Ｍ）λ３の位相差、ただし、Ｍは階段形状の段数、Ｎ１，Ｎ２，Ｎ３は０以上の整数」を付与する寸法に設定したこと、また階段形状の段数Ｍを「５」としたことによって、３種類の光記録媒体に対して、回折面一面で、収差を良好に補正し、開口を切り替えることができ、また溝深さが低く段数を多くできる回折構造を形成できる。
【手続補正１９】
【補正対象書類名】明細書
【補正対象項目名】００３１
【補正方法】変更
【補正の内容】
【００３１】
また、請求項１５，１６に記載した光ピックアップは、請求項７記載の光ピックアップであって、第１の回折面において分割した領域のうち、中心から２番目の領域に形成した回折構造は、階段形状であり一段当たりの高さが、「第１の波長に対しては、Ｎ１・Ｍ・λ１の位相差、第２の波長に対しては、（Ｎ２＋（Ｍ−１）／Ｍ）λ２の位相差、第３の波長に対しては、（Ｎ３＋（Ｍ−１）／Ｍ）λ３の位相差、ただし、Ｍは階段形状の段数、Ｎ１，Ｎ２，Ｎ３は０以上の整数」を付与する寸法に設定したこと、また階段形状の段数Ｍを「３」としたことによって、３種類の光記録媒体に対して、回折面一面で、収差を良好に補正し、開口を切り替えることができる。
【手続補正２０】
【補正対象書類名】明細書
【補正対象項目名】００３２
【補正方法】変更
【補正の内容】
【００３２】
また、請求項１７に記載した光ピックアップは、請求項１〜１６のいずれか１項に記載の光ピックアップであって、第１の回折面において分割した領域のうち、中心から２番目の領域に形成した回折構造は、階段形状であり溝深さが、中心領域より低いことによって、３種類の光記録媒体に対して、回折面一面で、収差を良好に補正し開口を切り替えることができ、また周辺領域の効率低下を抑制できる。
【手続補正２１】
【補正対象書類名】明細書
【補正対象項目名】００３３
【補正方法】変更
【補正の内容】
【００３３】
また、請求項１８に記載した光ピックアップは、請求項１記載の光ピックアップであって、第１の回折面において分割した領域のうち、中心から３番目の領域を平坦部としたことによって、高い効率で開口を切り替えることができる。
【手続補正２２】
【補正対象書類名】明細書
【補正対象項目名】００３４
【補正方法】変更
【補正の内容】
【００３４】
また、請求項１９に記載した光ピックアップは、請求項１記載の光ピックアップであって、第１の回折面において分割した領域のうち、中心から３番目の領域に光軸方向の厚さが異なる段差を形成したことによって、３種類の光記録媒体に対して、回折面一面で、収差を良好に補正し開口を切り替えることができ、かつ波長変動による色収差を補正することができる。
【手続補正２３】
【補正対象書類名】明細書
【補正対象項目名】００３５
【補正方法】変更
【補正の内容】
【００３５】
また、請求項２０に記載した光ピックアップは、請求項１記載の光ピックアップであって、第１の回折面において分割した領域のうち、中心領域の領域に形成した回折構造のピッチが、単一の対物レンズを用いて、第２の光束が第３の光記録媒体の基板を透過する際に生じる球面収差と、第３の光束が第４の光記録媒体の基板を透過する際に生じる球面収差とを打ち消すように、回折構造に形成したことによって、３種類の光記録媒体に対して回折面一面で、収差を良好に補正することができる。
【手続補正２４】
【補正対象書類名】明細書
【補正対象項目名】００３６
【補正方法】変更
【補正の内容】
【００３６】
また、請求項２１に記載した光ピックアップは、請求項１，２０記載の光ピックアップであって、第１の回折面において分割した領域のうち、中心から２番目の領域に形成した回折構造のピッチが、単一の対物レンズを用いて、第２の光束が第３の光記録媒体の基板を透過する際に生じる球面収差を、対物レンズと記録面の距離が請求項２０と同距離で打ち消すように、回折構造に形成したことによって、３種類の光記録媒体に対して回折面一面で、収差を良好に補正することができる。
【手続補正２５】
【補正対象書類名】明細書
【補正対象項目名】００３７
【補正方法】変更
【補正の内容】
【００３７】
また、請求項２２に記載した光ピックアップは、請求項１記載の光ピックアップであって、第２の回折面において分割した領域のうち、中心領域に回折構造を形成したことによって、収差を補正し開口を切り替えることができ、効率低下を抑制できる。
【手続補正２６】
【補正対象書類名】明細書
【補正対象項目名】００３８
【補正方法】変更
【補正の内容】
【００３８】
また、請求項２３に記載した光ピックアップは、請求項１，２２記載の光ピックアップであって、第２の回折面において分割した領域のうち、中心領域に形成した回折構造のピッチが、第１の光束が第２の光記録媒体の基板を透過する際に生じる球面収差を打ち消すように、回折構造に形成したことによって、２種類の光記録媒体に対して、回折面一面で、収差を良好に補正することができる。
【手続補正２７】
【補正対象書類名】明細書
【補正対象項目名】００３９
【補正方法】変更
【補正の内容】
【００３９】
また、請求項２４に記載した光ピックアップは、請求項１，２２または２３記載の光ピックアップであって、第２の回折面において分割した領域のうち、中心領域に形成した回折構造において、回折した第１の光束は異なる次数の回折光であり、それぞれ第１，第２の光記録媒体に集光することによって、同じ波長を用いる２種類の光記録媒体に対して、回折面一面で、収差を良好に補正することができる。
【手続補正２８】
【補正対象書類名】明細書
【補正対象項目名】００４０
【補正方法】変更
【補正の内容】
【００４０】
また、請求項２５に記載した光ピックアップは、請求項１，２２〜２４のいずれか１項に記載の光ピックアップであって、第２の回折面において分割した領域のうち、中心領域に形成した回折構造において、第１の光束を回折した回折光の次数が、０次と＋１次であることによって、同じ波長を用いる２種類の光記録媒体に対して、回折面一面で、収差を良好に補正することができる。
【手続補正２９】
【補正対象書類名】明細書
【補正対象項目名】００４１
【補正方法】変更
【補正の内容】
【００４１】
また、請求項２６に記載した光ピックアップは、請求項１，２２〜２５のいずれか１項に記載の光ピックアップであって、第２の回折面において分割した領域のうち、中心領域に形成した回折構造において、回折した第２の光束で最も強く発生する回折光の次数が０次であり、第３の光束で最も強く発生する回折光の次数が０次であることによって、第２，第３の光束に対しては、回折しないで透過するため、第１の光束を用いる光記録媒体に対してのみ、選択的に収差を良好に補正することができる。
【手続補正３０】
【補正対象書類名】明細書
【補正対象項目名】００４２
【補正方法】変更
【補正の内容】
【００４２】
また、請求項２７に記載した光ピックアップは、請求項１，２２〜２６のいずれか１項に記載の光ピックアップであって、第２の回折面の中心領域に形成した回折構造は、階段形状であり一段当たりの高さが、「第１の波長に対しては、Ｎ１・Ｍ・λ１と（Ｎ１＋１／Ｍ）λ１の間の位相差、第２の波長に対しては、（Ｎ２＋（Ｍ−２）／Ｍ）λ２の位相差、第３の波長に対しては、（Ｎ３＋（Ｍ−１）／Ｍ）λ３の位相差、ただし、Ｍは階段形状の段数、Ｎ１，Ｎ２，Ｎ３は０以上の整数」を付与する寸法に設定したことによって、第２，第３の光束に対しては、回折しないで透過するため、第１の光束を用いる光記録媒体に対してのみ、選択的に収差を良好に補正することができる。
【手続補正３１】
【補正対象書類名】明細書
【補正対象項目名】００４３
【補正方法】変更
【補正の内容】
【００４３】
また、請求項２８に記載した光ピックアップは、請求項１〜２７のいずれか１項に記載の光ピックアップであって、対物レンズは、最も記録密度の大きい第１の光記録媒体に対して、波長λ１の光束により収差が最小になるように設計したことによって、４種類の光記録媒体のうち、１種類に０次回折光を用いることができ、回折面２面での収差補正を高効率に行うことができる。
【手続補正３２】
【補正対象書類名】明細書
【補正対象項目名】００４４
【補正方法】変更
【補正の内容】
【００４４】
また、請求項２９に記載した光ピックアップは、請求項１〜２８のいずれか１項に記載の光ピックアップであって、第１の回折面と第２の回折面を収差補正手段の両面に形成したことによって、単一の光学素子で収差補正と開口の切り替えができ、部品点数を削減して、組立および調整作業の工数を低減できる。
【手続補正３３】
【補正対象書類名】明細書
【補正対象項目名】００４５
【補正方法】変更
【補正の内容】
【００４５】
また、請求項３０に記載した光ピックアップは、請求項１〜２８のいずれか１項に記載の光ピックアップであって、第１の回折面と第２の回折面の少なくともどちらか一方の回折構造を対物レンズの面上に形成したことによって、部品点数を削減し、組立および調整作業の工数を低減できる。
【手続補正３４】
【補正対象書類名】明細書
【補正対象項目名】００４６
【補正方法】変更
【補正の内容】
【００４６】
また、請求項３１に記載した光ピックアップは、請求項１〜２８のいずれか１項に記載の光ピックアップであって、第１の回折面と第２の回折面の回折構造をそれぞれ異なる材料により形成したことによって、設計自由度が広がり、より高効率の回折面を得ることができる。
【手続補正３５】
【補正対象書類名】明細書
【補正対象項目名】００４７
【補正方法】変更
【補正の内容】
【００４７】
また、請求項３２に記載した光ピックアップは、請求項１〜３１のいずれか１項に記載の光ピックアップであって、第１の回折面と第２の回折面の回折構造を樹脂材料により構成したことによって、成型加工が容易で大量生産がしやすく、かつ軽量化して対物レンズの可動部の負荷を低減することができる。
【手続補正３６】
【補正対象書類名】明細書
【補正対象項目名】００４８
【補正方法】変更
【補正の内容】
【００４８】
また、請求項３３に記載した光ピックアップは、請求項１〜３２のいずれか１項に記載の光ピックアップであって、第１の回折面と第２の回折面を有する光学素子の外形形状を回折面と同心円の円形状としたことによって、外部環境が変動しても形状の変化が均一化され、うねりを低減することができ、波面精度の良い安定した素子を得ることができる。
【手続補正３７】
【補正対象書類名】明細書
【補正対象項目名】００４９
【補正方法】変更
【補正の内容】
【００４９】
また、請求項３４に記載した光ピックアップは、請求項１〜３３のいずれか１項に記載の光ピックアップであって、第２の光束が収差補正手段を介して回折され、対物レンズに入射する球面収差を有した発散光であり、第２の光束の光ピックアップ光学系全体における球面収差は、発散光が持つ球面収差と、対物レンズおよび第３の光記録媒体の基板を透過する際に生じる球面収差とによって補正され、対物レンズの光軸と収差補正手段の光軸とが横ズレした際、発散光の持つ球面収差の横ズレに起因するコマ収差成分と、対物レンズおよび第３の光記録媒体で発生する球面収差の横ズレに起因するコマ収差成分が、互いに打ち消す方向とすることで第２の光束の光ピックアップ光学系全体のコマ収差を補正する回折構造を第１の回折面に形成したことによって、収差補正手段を光ピックアップや対物レンズの鏡筒との組み付け時、対物レンズと収差補正手段とを一体成型時、第１の回折面と第２の回折面の製造時などにおいて、組み付け公差や製造公差を大きくすることができ、高精度で組み付けが容易な光ピックアップを安定に提供できる。
【手続補正３８】
【補正対象書類名】明細書
【補正対象項目名】００５０
【補正方法】変更
【補正の内容】
【００５０】
また、請求項３５に記載した光ピックアップは、請求項１〜３３のいずれか１項に記載の光ピックアップであって、第３の光束が収差補正手段を介して回折され、対物レンズに入射する球面収差を有した発散光であり、第３の光束の光ピックアップ光学系全体における球面収差は、発散光が持つ球面収差と、対物レンズおよび第４の光記録媒体の基板を透過する際に生じる球面収差とによって補正され、対物レンズの光軸と収差補正手段の光軸とが横ズレした際、発散光の持つ球面収差の横ズレに起因するコマ収差成分と、対物レンズおよび第４の光記録媒体で発生する球面収差の横ズレに起因するコマ収差成分が、互いに打ち消す方向とすることで第３の光束の光ピックアップ光学系全体のコマ収差を補正する回折構造を第１の回折面に形成したことによって、収差補正手段を光ピックアップや対物レンズの鏡筒との組み付け時、対物レンズと収差補正手段とを一体成型時、第１の回折面と第２の回折面の製造時などにおいて、組み付け公差や製造公差を大きくすることができ、高精度で組み付けが容易な光ピックアップを安定に提供できる。
【手続補正３９】
【補正対象書類名】明細書
【補正対象項目名】００５１
【補正方法】変更
【補正の内容】
【００５１】
また、請求項３６に記載した光ピックアップは、請求項１〜３３のいずれか１項に記載の光ピックアップであって、第２の光束が収差補正手段を介して回折され、対物レンズに入射する第１の球面収差を有した発散光であり、第２の光束の光ピックアップ光学系全体における球面収差は、発散光が持つ第１の球面収差と、対物レンズおよび第３の光記録媒体の基板を透過する際に生じる球面収差とによって補正され、第３の光束が収差補正手段を介して回折され、対物レンズに入射する第２の球面収差を有した発散光であり、第３の光束の光ピックアップ光学系全体の球面収差は、発散光が持つ第２の球面収差と、対物レンズおよび第４の光記録媒体の基板を透過する際に生じる球面収差とによって補正され、対物レンズの光軸と収差補正手段の光軸とが横ズレした際、発散光の持つ第１の球面収差の横ズレに起因するコマ収差成分と、対物レンズおよび第３の光記録媒体で発生するコマ収差成分が、互いに打ち消す方向とし、かつ、発散光の持つ第２の球面収差の横ズレに起因するコマ収差成分と、対物レンズおよび第４の光記録媒体で発生するコマ収差成分が、互いに打ち消す方向とすることで、第２の光束と第３の光束の光ピックアップ光学系全体のコマ収差を同時に補正する回折構造を第１の回折面に形成したことによって、収差補正手段を光ピックアップや対物レンズの鏡筒との組み付け時、対物レンズと収差補正手段とを一体成型時、第１の回折面と第２の回折面の製造時などにおいて、組み付け公差や製造公差を大きくすることができ、高精度で組み付けが容易な光ピックアップを安定に提供できる。
【手続補正４０】
【補正対象書類名】明細書
【補正対象項目名】００５２
【補正方法】変更
【補正の内容】
【００５２】
また、請求項３７に記載した光ピックアップは、請求項１〜３６のいずれか１項に記載の光ピックアップであって、第１の光束が収差補正手段を介して回折され、対物レンズに入射する球面収差を有した発散光であり、第１の光束の光ピックアップ光学系全体における球面収差は、発散光が持つ球面収差と、対物レンズおよび第２の光記録媒体の基板を透過する際に生じる球面収差とによって補正され、対物レンズの光軸と収差補正手段の光軸とが横ズレした際、発散光の持つ球面収差の横ズレに起因するコマ収差成分と、対物レンズおよび第２の光記録媒体で発生するコマ収差成分が、互いに打ち消す方向とすることで、第１の光束の光ピックアップ光学系全体のコマ収差を補正する回折構造を第２の回折面に形成したことによって、収差補正手段を光ピックアップや対物レンズの鏡筒との組み付け時、対物レンズと収差補正手段とを一体成型時、第１の回折面と第２の回折面の製造時などにおいて、組み付け公差や製造公差を大きくすることができ、高精度で組み付けが容易な光ピックアップを安定に提供できる。
【手続補正４１】
【補正対象書類名】明細書
【補正対象項目名】００５３
【補正方法】変更
【補正の内容】
【００５３】
また、請求項３８に記載した光ピックアップは、請求項１〜３７のいずれか１項に記載の光ピックアップであって、第２の光束が収差補正手段の第１の回折面を介して回折されて対物レンズに入射する球面収差を有した発散光であり、第２の光束の光ピックアップ光学系全体における球面収差は、発散光が持つ球面収差と、対物レンズおよび第３の光記録媒体の基板を透過する際に生じる球面収差とによって補正され、第２の光束が収差補正手段の第１の回折面を介して回折されて対物レンズに入射する球面収差を有していない発散光であって、球面収差を有していない発散光が第２の光束の光ピックアップ光学系全体における球面収差を補正する際の収差補正手段の第１の回折面に有する回折構造の輪帯数をＮｍ２，最小ピッチをＰｍ２としたとき、球面収差を有した発散光を回折させる収差補正手段の第１の回折面での輪帯数Ｎａ１と最小ピッチＰａ１が、次の条件「Ｎａ１≧Ｎｍ２，Ｐａ１≦Ｐｍ２」を満足する回折構造を有したことによって、収差補正手段を光ピックアップや対物レンズの鏡筒との組み付け時、対物レンズと収差補正手段との一体成型時、第１の回折面と第２の回折面の製造時などにおいて、組み付け公差や製造公差を大きくすることができ、高精度で組み付けが容易な光ピックアップを安定に提供できる。
【手続補正４２】
【補正対象書類名】明細書
【補正対象項目名】００５４
【補正方法】変更
【補正の内容】
【００５４】
また、請求項３９に記載した光ピックアップは、請求項１〜３７のいずれか１項に記載の光ピックアップであって、第３の光束が収差補正手段の第１の回折面を介して回折されて対物レンズに入射する球面収差を有した発散光であり、第３の光束の光ピックアップ光学系全体における球面収差は、発散光が持つ球面収差と、対物レンズおよび第４の光記録媒体の基板を透過する際に生じる球面収差とによって補正され、第３の光束が収差補正手段の第１の回折面を介して回折されて対物レンズに入射する球面収差を有していない発散光であって、球面収差を有していない発散光が第３の光束の光ピックアップ光学系全体における球面収差を補正する際の収差補正手段の第１の回折面に有する回折構造の輪帯数をＮｍ３，最小ピッチをＰｍ３としたとき、球面収差を有した発散光を回折させる収差補正手段の第１の回折面での輪帯数Ｎａ１と最小ピッチＰａ１が、次の条件「Ｎａ１≧Ｎｍ３，Ｐａ１≦Ｐｍ３」を満足する回折構造を有したことによって、収差補正手段を光ピックアップや対物レンズの鏡筒との組み付け時、対物レンズと収差補正手段とを一体成型時、第１の回折面と第２の回折面の製造時などにおいて、組み付け公差や製造公差を大きくすることができ、高精度で組み付けが容易な光ピックアップを安定に提供できる。
【手続補正４３】
【補正対象書類名】明細書
【補正対象項目名】００５５
【補正方法】変更
【補正の内容】
【００５５】
また、請求項４０に記載した光ピックアップは、請求項１〜３７のいずれか１項に記載の光ピックアップであって、第２の光束が収差補正手段の第１の回折面を介して回折されて対物レンズに入射する球面収差を有した発散光であり、第２の光束の光ピックアップ光学系全体における球面収差は、発散光が持つ球面収差と、対物レンズおよび第３の光記録媒体の基板を透過する際に生じる球面収差とによって補正され、第２の光束が収差補正手段の第１の回折面を介して回折されて対物レンズに入射する球面収差を有していない発散光であって、球面収差を有していない発散光が第２の光束の光ピックアップ光学系全体における球面収差を補正する際の収差補正手段の第１の回折面に有する回折構造の輪帯数をＮｍ２，最小ピッチをＰｍ２とし、第３の光束が収差補正手段の第１の回折面を介して回折されて対物レンズに入射する球面収差を有した発散光であり、第３の光束の光ピックアップ光学系全体における球面収差は、発散光が持つ球面収差と、対物レンズおよび第４の光記録媒体の基板を透過する際に生じる球面収差とによって補正され、第３の光束が収差補正手段の第１の回折面を介して回折されて対物レンズに入射する球面収差を有していない発散光であって、球面収差を有していない発散光が第３の光束の光ピックアップ光学系全体における球面収差を補正する際の収差補正手段の第１の回折面に有する回折構造の輪帯数をＮｍ３，最小ピッチをＰｍ３としたとき、球面収差を有した発散光を回折させる収差補正手段の第１の回折面での輪帯数Ｎａ１と最小ピッチＰａ１が、次の条件「Ｎａ１≧Ｎｍ３，Ｐａ１≦Ｐｍ３」を満足する回折構造を有したことによって、収差補正手段を光ピックアップや対物レンズの鏡筒との組み付け時、対物レンズと収差補正手段とを一体成型時、第１の回折面と第２の回折面の製造時などにおいて、組み付け公差や製造公差を大きくすることができ、高精度で組み付けが容易な光ピックアップを安定に提供できる。
【手続補正４４】
【補正対象書類名】明細書
【補正対象項目名】００５６
【補正方法】変更
【補正の内容】
【００５６】
また、請求項４１に記載した光ピックアップは、請求項１〜４０のいずれか１項に記載の光ピックアップであって、第１の光束が収差補正手段の第２の回折面を介して回折されて対物レンズに入射する球面収差を有した発散光であり、第１の光束の光ピックアップ光学系全体における球面収差は、発散光が持つ球面収差と、対物レンズおよび第２の光記録媒体の基板を透過する際に生じる球面収差とによって補正され、第１の光束が収差補正手段の第２の回折面を介して回折されて対物レンズに入射する球面収差を有していない発散光であって、球面収差を有していない発散光が第１の光束の光ピックアップ光学系全体における球面収差を補正する際の収差補正手段の第２の回折面に有する回折構造の輪帯数をＮｍ１，最小ピッチをＰｍ１としたとき、球面収差を有した発散光を回折させる収差補正手段の第２の回折面での輪帯数Ｎａ２と最小ピッチＰａ２が、次の条件「Ｎａ２≧Ｎｍ１，Ｐａ２≦Ｐｍ１」を満足する回折構造を有したことによって、収差補正手段を光ピックアップや対物レンズの鏡筒との組み付け時、対物レンズと収差補正手段とを一体成型時、第１の回折面と第２の回折面の製造時などにおいて、組み付け公差や製造公差を大きくすることができ、高精度で組み付けが容易な光ピックアップを安定に提供できる。
【手続補正４５】
【補正対象書類名】明細書
【補正対象項目名】００５７
【補正方法】変更
【補正の内容】
【００５７】
また、請求項４２に記載した光情報処理装置は、記録密度の異なる複数種類の光記録媒体に対して記録，再生，消去のうち１以上行う光情報処理装置であって、請求項１〜４１のいずれか１項に記載の光ピックアップを備えたことによって、４種類の光記録媒体に対して、発生する収差を補正し、かつ効率低下を抑制できる。